(57)【要約】【課題】  記録媒体カートリッジのシャッター開閉バネの必要範囲内での変形量の確保及び過度の変形の防止等を図る。【解決手段】  シャッター１１０がスライド自在に支持されたケース体内１０１に記録媒体２００が収納されて成る記録媒体カートリッジ１００が挿入されて該記録媒体カートリッジを保持すると共に被支持ピン６５が設けられたホルダー８と、該ホルダーを移動自在に支持するシャーシ７と、ホルダーの被支持ピンが設けられた面と同じ面に一部が取り付けられホルダーに対して弾性変形されると共に記録媒体カートリッジのシャッターを開閉するシャッター開閉バネ６９とを設け、該シャッター開閉バネにホルダーの被支持ピンを挿通する挿通孔７０ａを形成し、ホルダーの被支持ピンに上記挿通孔に挿通される挿通部６６ｂと該被支持ピンより外径が大きくシャッター開閉バネの変形を規制する規制部６６ａとを設けた。【選択図】図２０
2006244609.tif 000002
【特許請求の範囲】
【請求項１】
シャッターがスライド自在に支持されたケース体内に記録媒体が収納されて成る記録媒体カートリッジが挿入されて該記録媒体カートリッジを保持すると共に被支持ピンが設けられたホルダーと、
該ホルダーを移動自在に支持するシャーシと、
ホルダーの被支持ピンが設けられた面と同じ面に一部が取り付けられホルダーに対して弾性変形されると共に記録媒体カートリッジのシャッターを開閉するシャッター開閉バネとを備え、
該シャッター開閉バネにホルダーの被支持ピンを挿通する挿通孔を形成し、
ホルダーの被支持ピンに上記挿通孔に挿通される挿通部と該被支持ピンより外径が大きくシャッター開閉バネの変形を規制する規制部とを設けた
ことを特徴とする記録媒体ドライブ装置。
【請求項２】
シャッターがスライド自在に支持されたケース体内に記録媒体が収納されて成る記録媒体カートリッジが挿入されて該記録媒体カートリッジを保持すると共に被支持ピンが設けられたホルダーと、
記録媒体に対して情報信号の記録若しくは再生又はこれらの双方を行う記録再生部と、
入力される指令信号に基づいて少なくとも記録再生部を制御する制御部と、
上記ホルダーを移動自在に支持するシャーシと、
ホルダーの被支持ピンが設けられた面と同じ面に一部が取り付けられホルダーに対して弾性変形されると共に記録媒体カートリッジのシャッターを開閉するシャッター開閉バネとを備え、
該シャッター開閉バネにホルダーの被支持ピンを挿通する挿通孔を形成し、
ホルダーの被支持ピンに上記挿通孔に挿通される挿通部と該被支持ピンより外径が大きくシャッター開閉バネの変形を規制する規制部とを設けた
ことを特徴とする電子機器。
【発明の詳細な説明】
【技術分野】
【０００１】
本発明は記録媒体ドライブ装置及び電子機器についての技術分野に関する。詳しくは、シャッター開閉バネにホルダーの被支持ピンが挿通される挿通孔を形成してシャッター開閉バネの必要範囲内での変形量の確保及び過度の変形の防止等を図る技術分野に関する。
【背景技術】
【０００２】
ケース体内に記録媒体、例えば、ディスク状記録媒体が回転可能に収納されて成る記録媒体カートリッジの記録媒体に対して、情報信号の記録若しくは再生又はこれらの双方を行う記録媒体ドライブ装置がある。
【０００３】
記録媒体ドライブ装置には、記録媒体カートリッジを保持するホルダーが設けられ、ホルダーに記録媒体カートリッジが挿入されたときにケース体にスライド自在に支持されたシャッターが開放されて記録媒体に対する情報信号の記録又は再生が行われる。
【０００４】
このような記録媒体カートリッジがホルダーに挿入されるタイプの記録媒体ドライブ装置にあっては、ホルダーに記録媒体カートリッジのシャッターを開閉するためのシャッター開閉バネが取り付けられている（例えば、特許文献１参照）。
【０００５】
ホルダーに記録媒体カートリッジが挿入されるとシャッター開閉バネが外方へ撓んで弾性変形され、ケース体に形成された挿入孔に対応したところでシャッター開閉バネが弾性復帰して挿入孔に挿入されることにより、ケース体の内部に支持されたロック部材によるシャッターのロックを解除すると共にシャッター開閉バネによってシャッターが保持される。続いて記録媒体カートリッジがケース体の奥側へ向けて挿入されることにより、保持されたシャッターに対してケース体が移動されシャッターが開放される。
【０００６】
シャッターが開放された状態からケース体が逆方向へ移動されると、シャッター開閉バネによって保持されたままシャッターが閉塞され、さらに移動されることによりシャッター開閉バネが弾性変形され挿入孔から引き出されて再びロック部材によるシャッターのロックが行われ、記録媒体カートリッジがホルダーから排出される。
【０００７】
【特許文献１】特開平１０−１７２２１９号公報
【発明の開示】
【発明が解決しようとする課題】
【０００８】
ところで、シャッター開閉バネはホルダーの側面部に取り付けられるが、この側面部にはシャーシに形成された支持溝に支持される被支持ピンが設けられる。
【０００９】
このようにシャッター開閉バネと被支持ピンはホルダーの同じ側面部に設けられるため、シャッター開閉バネは被支持ピンとの間で干渉しない位置に配置する必要がある。
【００１０】
従って、被支持ピンの存在によって、シャッター開閉バネを記録媒体カートリッジのホルダーに対する挿入方向に長く形成することができず、その分、シャッター開閉バネの十分な変形量を確保することができず、また、短い長さで大きな変形量を確保しようとすると、シャッター開閉バネの材料が限定されてしまうという問題もある。
【００１１】
一方、シャッター開閉バネが必要以上に変形可能であると、例えば、大きな衝撃が付与されたときにシャッター開閉バネが大きく変形して他の部材に接触し、他の部材やシャッター開閉バネの傷付きが発生してしまう。
【００１２】
そこで、本発明記録媒体ドライブ装置及び電子機器は、上記した問題点を克服し、シャッター開閉バネの必要範囲内での変形量の確保及び過度の変形の防止等を図ることを課題とする。
【課題を解決するための手段】
【００１３】
本発明記録媒体ドライブ装置は、上記した課題を解決するために、シャッターがスライド自在に支持されたケース体内に記録媒体が収納されて成る記録媒体カートリッジが挿入されて該記録媒体カートリッジを保持すると共に被支持ピンが設けられたホルダーと、該ホルダーを移動自在に支持するシャーシと、ホルダーの被支持ピンが設けられた面と同じ面に一部が取り付けられホルダーに対して弾性変形されると共に記録媒体カートリッジのシャッターを開閉するシャッター開閉バネとを設け、該シャッター開閉バネにホルダーの被支持ピンを挿通する挿通孔を形成し、ホルダーの被支持ピンに上記挿通孔に挿通される挿通部と該被支持ピンより外径が大きくシャッター開閉バネの変形を規制する規制部とを設けたものである。
【００１４】
本発明電子機器は、上記した課題を解決するために、シャッターがスライド自在に支持されたケース体内に記録媒体が収納されて成る記録媒体カートリッジが挿入されて該記録媒体カートリッジを保持すると共に被支持ピンが設けられたホルダーと、記録媒体に対して情報信号の記録若しくは再生又はこれらの双方を行う記録再生部と、入力される指令信号に基づいて少なくとも記録再生部を制御する制御部と、上記ホルダーを移動自在に支持するシャーシと、ホルダーの被支持ピンが設けられた面と同じ面に一部が取り付けられホルダーに対して弾性変形されると共に記録媒体カートリッジのシャッターを開閉するシャッター開閉バネとを設け、該シャッター開閉バネにホルダーの被支持ピンを挿通する挿通孔を形成し、ホルダーの被支持ピンに上記挿通孔に挿通される挿通部と該被支持ピンより外径が大きくシャッター開閉バネの変形を規制する規制部とを設けたものである。
【００１５】
従って、本発明記録媒体ドライブ装置及び電子機器にあっては、記録媒体カートリッジのシャッター開閉バネが被支持ピンの規制部に規制される状態までホルダーに対して弾性変形可能とされる。
【発明の効果】
【００１６】
本発明記録媒体ドライブ装置は、シャッターがスライド自在に支持されたケース体内に記録媒体が収納されて成る記録媒体カートリッジが挿入されて該記録媒体カートリッジを保持すると共に被支持ピンが設けられたホルダーと、該ホルダーを移動自在に支持するシャーシと、ホルダーの被支持ピンが設けられた面と同じ面に一部が取り付けられホルダーに対して弾性変形されると共に記録媒体カートリッジのシャッターを開閉するシャッター開閉バネとを備え、該シャッター開閉バネにホルダーの被支持ピンを挿通する挿通孔を形成し、ホルダーの被支持ピンに上記挿通孔に挿通される挿通部と該被支持ピンより外径が大きくシャッター開閉バネの変形を規制する規制部とを設けたことを特徴とする。
【００１７】
従って、シャッター開閉バネと被支持ピンが干渉せず、その分、シャッター開閉バネを長くすることができ、シャッター開閉バネの変形量を大きくすることが可能であり、シャッター開閉バネの動作の信頼性の向上を図ることができる。
【００１８】
また、シャッター開閉バネが規制部に接する状態まで変形可能とされているため、シャッター開閉バネの過度の変形を防止することができる。
【００１９】
本発明電子機器は、シャッターがスライド自在に支持されたケース体内に記録媒体が収納されて成る記録媒体カートリッジが挿入されて該記録媒体カートリッジを保持すると共に被支持ピンが設けられたホルダーと、記録媒体に対して情報信号の記録若しくは再生又はこれらの双方を行う記録再生部と、入力される指令信号に基づいて少なくとも記録再生部を制御する制御部と、上記ホルダーを移動自在に支持するシャーシと、ホルダーの被支持ピンが設けられた面と同じ面に一部が取り付けられホルダーに対して弾性変形されると共に記録媒体カートリッジのシャッターを開閉するシャッター開閉バネとを備え、該シャッター開閉バネにホルダーの被支持ピンを挿通する挿通孔を形成し、ホルダーの被支持ピンに上記挿通孔に挿通される挿通部と該被支持ピンより外径が大きくシャッター開閉バネの変形を規制する規制部とを設けたことを特徴とする。
【００２０】
従って、シャッター開閉バネと被支持ピンが干渉せず、その分、シャッター開閉バネを長くすることができ、シャッター開閉バネの変形量を大きくすることが可能であり、シャッター開閉バネの動作の信頼性の向上を図ることができる。
【００２１】
また、シャッター開閉バネが規制部に接する状態まで変形可能とされているため、シャッター開閉バネの過度の変形を防止することができる。
【発明を実施するための最良の形態】
【００２２】
以下に、本発明記録媒体ドライブ装置及び電子機器の最良の形態を添付図面に従って説明する。以下に示した最良の形態は、本発明電子機器を携帯用のゲーム機器に適用し、本発明記録媒体ドライブ装置をこの携帯用のゲーム機器に備えられたディスクドライブ装置に適用したものである。
【００２３】
尚、本発明記録媒体ドライブ及び電子機器の適用範囲は、携帯用のゲーム機器及びこれに備えられたディスクドライブ装置に限られることはなく、本発明電子機器は、記録媒体を扱う各種の電子機器、例えば、パーソナルコンピューター等の情報処理装置、電話器やファクシミリ等に代表される通信用装置、ＰＤＡ（Personal Digital Assistant）等の情報端末装置、スチルカメラや電子カメラやビデオカメラ等の撮像装置、テレビやラジオ等の視聴用の機器、テープカセット等の各種の記録媒体を扱う記録用の機器や音響機器等に広く適用することができ、本発明記録媒体ドライブ装置は、これらの各種の電子機器において扱われる記録媒体について情報信号の記録若しくは再生又はこれらの双方を行うドライブ装置に広く適用することができる。
【００２４】
先ず、記録媒体を有する記録媒体カートリッジについて説明する（図１乃至図５参照）。
【００２５】
記録媒体カートリッジ１００は扁平なケース体１０１内にディスク状の記録媒体２００が回転可能に収納されて成る（図１及び図２参照）。
【００２６】
ケース体１０１はアッパーシェル１０２とロアーシェル１０３とが上下で結合されて成る（図２参照）。ケース体１０１は後述するホルダーに対する挿入方向（図２に示すＡ方向）における半部が略半円形状に形成され、その周面が円弧状に形成された円弧面１０１ａとして形成されている。ケース体１０１の上記挿入方向と反対方向（図２に示すＢ方向）における半部は横長の形状に形成され、円弧面１０１ａの両端に連続する面がそれぞれ挿入方向に延びる側面１０１ｂ、１０１ｃとして形成されている。側面１０１ｂと側面１０１ｃの挿入方向と反対方向における端部間の周面は、緩やかな凸曲面を為す曲面１０１ｄとして形成されている。
【００２７】
ケース体１０１には、右側の側面１０１ｃから円弧面１０１ａに亘る部分に、挿入溝１０５が形成されている（図２及び図３参照）。側面１０１ｃには、挿入溝１０５の上側の位置に、上記挿入方向に延びる係合溝１０１ｅが形成されている（図４参照）。
【００２８】
ケース体１０１には、図３に示すように、その下面の中央部にテーブル挿入孔１０１ｆが形成され、下面のテーブル挿入孔１０１ｆの右方には浅いスライド用凹部１０１ｇが形成されている。スライド用凹部１０１ｇの一部には後述する光ピックアップに設けられた発光部から出射されるレーザー光を透過するための光透過孔１０１ｈが形成されている。
【００２９】
ケース体１０１の下面には、曲面１０１ｄの近傍の位置に左右に離隔して位置決め穴１０４、１０４が形成されている。
【００３０】
ケース体１０１の挿入方向と反対方向における半部には、その左右両端部に記録媒体２００が収納されていない部分が存在し、この部分のうち右端側の部分が機構配置部１０６として形成されている（図５参照）。機構配置部１０６にはバネ掛け軸１０７とロック用突部１０８が設けられている。
【００３１】
機構配置部１０６にはトグルバネ１０９が支持されている。トグルバネ１０９はコイル部１０９ａと該コイル部１０９ａからそれぞれ突出された第１の腕部１０９ｂと第２の腕部１０９ｃとから成り、第１の腕部１０９ｂの先端部がバネ掛け軸１０７に支持されている。
【００３２】
ケース体１０１にはシャッター１１０がスライド自在に支持されている。シャッター１１０は板状の金属材料によって各部が一体に形成されて成り、図４に示すように、最大の面積を有する略矩形状の開閉面部１１１と、該開閉面部１１１の右側縁から上方へ突出された側部１１２と、該側部１１２の長手方向における両端部を除く部分から左方へ突出された係合片部１１３と、側部１１２の長手方向における一端部から左方へ突出された支持面部１１４とを有している。
【００３３】
側部１１２には作用孔１１２ａが形成されている。
【００３４】
支持面部１１４の先端部にはバネ掛け孔１１４ａが形成されている。支持面部１１４の下面には一方向に長いロックレバー１１５が回動自在に支持され、該ロックレバー１１５は長手方向における略中央部が回動支点とされ、長手方向における一端部が被押圧部１１５ａとして形成され、長手方向における他端部に下方へ突出された係合突部１１５ｂが設けられている。ロックレバー１１５は、図示しないバネ部材によって被押圧部１１５ａが側部１１２の作用孔１１２ａから突出される方向へ付勢されている。
【００３５】
シャッター１１０は開閉面部１１１がスライド用凹部１０１ｇに支持され、側部１１２が側面１０１ｃに支持され、係合片部１１３が側面１０１ｃに形成された係合溝１０１ｅに摺動自在に係合され、ケース体１０１にスライド自在に支持される。シャッター１１０がケース体１０１に支持された状態において、支持面部１１４のバネ掛け孔１１４ａにトグルバネ１０９の第２の腕部１０９ｃが係合される。
【００３６】
シャッター１１０は開閉面部１１１が光透過孔１０１ｈを閉塞する閉塞位置と光透過孔１０１ｈを開放する開放位置との間でケース体１０１に対してスライドされる。
【００３７】
シャッター１１０が閉塞位置にある状態においては、トグルバネ１０９によってシャッター１１０が上記挿入方向、即ち、図２に示すＡ方向へ付勢され、シャッター１１０が閉塞位置に保持される。このときシャッター１１０の支持面部１１４に支持されたロックレバー１１５はバネ部材の付勢力によって係合突部１１５ｂがロック用突部１０８に係合され（図５参照）、シャッター１１０が閉塞位置にロックされている。ロックレバー１１５の被押圧部１１５ａは、側部１１２に形成された作用孔１１２ａ内に位置されている。
【００３８】
逆に、シャッター１１０が開放位置にある状態においては、トグルバネ１０９によってシャッター１１０が上記挿入方向と逆方向、即ち、図２に示すＢ方向へ付勢され、シャッター１１０が開放位置に保持される。
【００３９】
ケース体１０１の内部に収納された記録媒体２００の中心部には、磁性金属材料から成るコア２０１が取り付けられ（図３参照）、該コア２０１はケース体１０１のテーブル挿入孔１０１ｆに対応して位置されている。
【００４０】
次に、電子機器の具体的な構成について説明する。
【００４１】
電子機器（ゲーム機器）１は、例えば、扁平な横長の形状に形成され（図６及び図７参照）、外筐２内に所要の各部が配置されて成る。
【００４２】
外筐２の前面２ａの中央部には表示部３が配置され、前面２ａの左右両端部にはそれぞれ複数の操作釦（コントロールキー）４、４、・・・が配置されている（図６参照）。外筐２の下面には記録媒体カートリッジ１００を挿入するための挿入用開口５が形成されている（図６参照）。
【００４３】
外筐２の内部には記録媒体ドライブ装置（ディスクドライブ装置）６が設けられている（図８及び図９参照）。記録媒体ドライブ装置６はシャーシ７と該シャーシ７に配置又は支持された所要の各部とシャーシ７に移動自在に支持されたホルダー８と駆動回路を含む各種の回路とによって構成されている。
【００４４】
尚、以下の記録媒体ドライブ装置６の説明にあっては、便宜上、ホルダー８に記録媒体カートリッジ１００を挿入する方向を後方、挿入された記録媒体カートリッジ１００をホルダー８から取り出す方向を前方、ホルダー８の位置を上、シャーシ７の位置を下として説明する。
【００４５】
シャーシ７は、例えば、板状の金属材料によって各部が一体に形成されて成り、図１０に示すように、略正方形状に形成されたベース部９と該ベース部９の左右両側縁からそれぞれ上方へ突出された側面部１０、１１とベース部９の後縁から上方へ突出された後面部１２とから成り、側面部１０、１１は後面部１２より高さが高くされている。
【００４６】
ベース部９の中央部にはテーブル配置孔９ａが形成され、その右方にピックアップ配置孔９ｂがテーブル配置孔９ａに連続して形成されている。ベース部９の後端部にはモーター配置孔９ｃが形成されている。ベース部９の後端寄りの位置における左端部には配置孔９ｄが形成されている。ベース部９の前端寄りの位置における左端部には下方へ突出されたバネ掛け片９ｅが設けられている。
【００４７】
ベース部９は平板部１３と該平板部１３から上方へ突出されたピン配置部１４、１４とから成る。ピン配置部１４、１４はベース部９の前端寄りの位置における左右両端寄りの位置に設けられ、外形が円錐台形状の一部を為すように形成された立上部１４ａ、１４ａと該立上部１４ａ、１４ａの上縁に連続し上下方向を向く円板状に形成された受け台部１４ｂ、１４ｂとから成る。立上部１４ａ、１４は円錐台形状の前側半分のみの形状に形成され、その分、受け台部１４ｂ、１４ｂの後側半分の部分が立上部１４ａ、１４ａより後方へ突出されている。
【００４８】
ピン配置部１４、１４の受け台部１４ｂ、１４ｂの下側の部分にはそれぞれ空間が形成され、この空間が挿入用切欠１４ｃ、１４ｃとして形成されている。
【００４９】
ピン配置部１４、１４の受け台部１４ｂ、１４ｂ上には位置決めピン１５、１５が設けられ、該位置決めピン１５、１５の最大外径は受け台部１４ｂ、１４ｂの外径より小さくされている。
【００５０】
平板部１３の後端寄りの位置には、左右に離隔して上方へ突出された受け突部１６、１６が設けられている。
【００５１】
シャーシ７の左側の側面部１０には前後に離隔してそれぞれ前後に延びる摺動支持溝１７、１７が形成されている。側面部１０には摺動支持溝１７、１７の後端部に連続してそれぞれ組付用切欠１８、１８が形成され、該組付用切欠１８、１８は上方に開口されている。
【００５２】
側面部１０には摺動支持溝１７、１７間の位置に前後に延びる操作突部支持溝１９が形成されている。側面部１０には、操作突部支持溝１９の後端部に連続して上方に開口された挿入用切欠２０が形成されている。
【００５３】
側面部１０には後側の摺動支持溝１７の後方に、支持溝２１が形成されている。支持溝２１は上方に開口され、上側に位置する傾斜部２１ａと下側に位置する直線部２１ｂとから成り、傾斜部２１ａは上方へ行くに従って前方へ変位するように僅かに傾斜され、直線部２１ｂは上下に延びるようにされている。
【００５４】
側面部１０の操作突部支持溝１９の上側の部分は後方へ突出されるように形成され、この部分の後端部に螺孔１０ａが形成されている。
【００５５】
シャーシ７の右側の側面部１１には前後に離隔してそれぞれ前後に延びる摺動支持溝１７、１７が形成されている。側面部１１には摺動支持溝１７、１７の後端部に連続してそれぞれ組付用切欠１８、１８が形成され、該組付用切欠１８、１８は上方に開口されている。
【００５６】
側面部１１には摺動支持溝１７、１７の間の位置に上方に開口されたピン配置用切欠２２が形成されている。
【００５７】
側面部１１には後側の摺動支持溝１７の後方に、支持溝２１が形成されている。支持溝２１は上方に開口され、上側に位置する傾斜部２１ａと下側に位置する直線部２１ｂとから成り、傾斜部２１ａは上方へ行くに従って前方へ変位するように僅かに傾斜され、直線部２１ｂは上下に延びるようにされている。
【００５８】
側面部１１の前端部には左方へ突出されたバネ掛け突片１１ａが設けられている。
【００５９】
後面部１２の左端寄りの位置には、上方へ突出されたバネ支持突部１２ａが設けられている。
【００６０】
ベース部９のテーブル配置孔９ａにはディスクテーブル２３が配置される（図８参照）。ディスクテーブル２３はテーブル部２３ａと該テーブル部２３ａの中央部に設けられたセンターリング突部２３ｂとを有し、図示しないスピンドルモーターのモーター軸に固定されている。センターリング突部２３ｂには図示しないマグネットが設けられている。ディスクテーブル２３はテーブル配置孔９ａから上方へ突出された状態で配置され、スピンドルモーターの回転に伴って回転される。
【００６１】
ベース部９のピックアップ配置孔９ｂには光ピックアップ２４が配置される。光ピックアップ２４は記録媒体カートリッジ１００の記録媒体２００に対して情報信号の記録若しくは再生又はこれらの双方を行う記録再生部を構成する。
【００６２】
光ピックアップ２４は移動ベース２５と該移動ベース２５上に支持された対物レンズ駆動装置２６とを有している。移動ベース２５には軸受部２５ａ、２５ｂが設けられ、軸受部２５ａにリードスクリュー２７が挿通されて螺合され、軸受部２５ｂがガイド軸２８に支持されている。
【００６３】
光ピックアップ２４は、リードスクリュー２７がベース部９の下面側において回転自在に支持されると共にガイド軸２８がベース部９の下面側において固定されることにより、ピックアップ配置孔９ｂに配置され、該ピックアップ配置孔９ｂ内においてリードスクリュー２７の回転によってガイド軸２８に案内されて移動可能とされる。
【００６４】
ベース部９のモーター配置孔９ｃには駆動モーター２９が配置される。駆動モーター２９の駆動力が図示しない駆動ギヤ等によってリードスクリュー２７に伝達されると、駆動モーター２９の回転方向に応じた方向へ光ピックアップ２４が移動される。
【００６５】
シャーシ７のベース部９の後端部にはイジェクトレバー３０が回動自在に支持されている（図８参照）。
【００６６】
イジェクトレバー３０はレバー本体３１と該レバー本体３１に回転自在に支持された摺接係合部３２とから成る（図１１参照）。
【００６７】
レバー本体３１は、板状の金属材料が所定の形状に折り曲げられて形成され、略Ｕ字状を為す摺動面部３３と該摺動面部３３の後縁から上方へ突出された作用面部３４と摺動面部３３の左縁から上方へ突出された支持突部３５と該支持突部３５の上縁から右方へ突出された対向面部３６とから成る。
【００６８】
摺動面部３３は前方に位置する部分が他の部分に対して段差により一段低い位置にあり、この低い位置にある部分が低面部３３ａとされ、他の部分が高面部３３ｂとされている。低面部３３ａの後方側の縁部は接触縁３３ｃとして形成されている。
【００６９】
摺接係合部３２は低面部３３ａの先端部における下面側に、軸止め部材３７によって回転自在に支持されている。摺接係合部３２は上側に位置する小径の軸部３２ａと下側に位置する大径のフランジ部３２ｂとから成る。摺動面部３３における対向面部３６の下方の位置には、軸挿通孔３３ｄが形成されている。
【００７０】
作用面部３４は、その一部が摺動面部３３から右方へ突出されている。
【００７１】
支持突部３５の後端部にはバネ掛け部３５ａが設けられている。
【００７２】
対向面部３６は摺動面部３３に対向して位置され、対向面部３６には軸挿通孔３３ｄの真上の位置に軸挿通孔３６ａが形成されている。
【００７３】
イジェクトレバー３０は軸挿通孔３３ｄ、３６ａに挿通された支持軸部材３８を介してベース部９に回動自在に支持され、支持軸部材３８はベース部９の配置孔９ｄの直ぐ後側に取り付けられる。イジェクトレバー３０がベース部９に支持された状態においては、摺動面部３３の低面部３３ａ及び摺接係合部３２が配置孔９ｄに配置される。
【００７４】
このようにイジェクトレバー３０がベース部９に支持された状態において、摺動面部３３から下方へ突出された摺接係合部３２が配置孔９ｄに配置されるため、ベース部９と摺接係合部３２が干渉せず、その分、記録媒体ドライブ装置６の薄型化を図ることができる。
【００７５】
また、イジェクトレバー３０がベース部９に回動自在に支持された状態においては、摺動面部３３の低面部３３ａと高面部３３ｂの間に、常に、ベース部９に設けられた左側の受け突部１６が位置される。従って、受け突部１６上に載置される記録媒体カートリッジ１００とイジェクトレバー３０の干渉を回避することができる。
【００７６】
イジェクトレバー３０のバネ掛け部３５ａとシャーシ７の後面部１２のバネ支持突部１２ａと間には付勢バネ３９が支持される。従って、イジェクトレバー３０は付勢バネ３９によって時計回り方向（図１１に示すＲ２方向）へ付勢される。
【００７７】
上記のように、イジェクトレバー３０には支持突部３５に対して折り曲げられた対向面部３６が設けられているため、付勢バネ３９の付勢力が付与される支持突部３５の剛性が高く、付勢バネ３９の付勢力によるイジェクトレバー３０の変形やイジェクトレバー３０のシャーシ７に対する傾きを防止することができる。
【００７８】
シャーシ７にはイジェクトスライダー４０が前後方向へスライド自在に支持されている（図８参照）。
【００７９】
イジェクトスライダー４０は、図１２及び図１３に示すように、板状の金属材料が所定の形状に折り曲げられて形成され、左右両側にそれぞれ位置する側板部４１、４２と該側板部４１、４２の前端部間を連結する左右に長い橋渡部４３と該橋渡部４３の左端部から後方へ突出された突面部４４とから成る。
【００８０】
左側の側板部４１には前後に離隔してカム溝４５、４５が形成されている。カム溝４５は前後に延びる上側水平部４５ａと該上側水平部４５ａの後端に連続し後方へ行くに従って下方へ傾斜する斜部４５ｂと該斜部４５ｂの後端に連続し前後に延びる下側水平部４５ｃとから成る。
【００８１】
側板部４１には、上側水平部４５ａ、４５ａの前端部に連続する組付用溝４６、４６が形成され、該組付用溝４６、４６は上方に開口されている。
【００８２】
側板部４１にはカム溝４５、４５間に左方へ突出された操作突部４１ａが設けられている。
【００８３】
側板部４１のカム溝４５、４５間には、上方に開口された切欠が形成され、この切欠によって前側のカム溝４５と操作突部４７との間の位置に上下に延びる被ストッパー縁４１ｂが形成されている。
【００８４】
側板部４１には前後に離隔して左方へ突出された被支持軸４７、４７が設けられている。
【００８５】
右側の側板部４２には前後に離隔してカム溝４５、４５が形成されている。カム溝４５は前後に延びる上側水平部４５ａと該上側水平部４５ａの後端に連続し後方へ行くに従って下方へ傾斜する斜部４５ｂと該斜部４５ｂの後端に連続し前後に延びる下側水平部４５ｃとから成る。
【００８６】
側板部４２には前後に離隔して右方へ突出された被支持軸４７、４７が設けられている。
【００８７】
橋渡部４３は左右両端寄りの位置における前側略半分の部分が、それぞれ他の部分より厚みが小さくされた薄肉部４３ａ、４３ａとして設けられている。
【００８８】
突面部４４の前後方向における略中央部には下方へ突出されたバネ掛け部４４ａが設けられ、後端寄りの位置には援助用押圧部４４ｂが設けられている。
【００８９】
突面部４４の後端寄りの位置には、下方へ突出されさらに右方へ突出された摺動係合部４８が設けられている。摺動係合部４８はその右縁が前後に延びる保持縁４８ａとして形成され、該保持縁４８ａに連続する部分が前方へ行くに従って左方へ傾斜する作用縁４８ｂとして形成されている。摺動係合部４８の下方へ突出された部分の前縁は摺動縁４８ｃとして形成されている。
【００９０】
イジェクトスライダー４０は被支持軸４７、４７、・・・がそれぞれシャーシ７の側面部１０、１１の組付用切欠１８、１８、・・・に上方から挿入されると共に操作突部４１ａが側面部１０の挿入用切欠２０に上方から挿入され、さらに、前方へ移動されて被支持軸４７、４７、・・・がそれぞれ摺動支持溝１７、１７・・・に後方から挿入されると共に操作突部４１ａが操作突部支持溝１９に後方から挿入されることにより、シャーシ７にスライド自在に支持される。
【００９１】
イジェクトスライダー４０がシャーシ７に支持された状態においては、側板部４１、４２がそれぞれ側面部１０、１１の内面と摺動可能とされ、橋渡部４３がベース部９の上面のうちディスクテーブル２３とピン配置部１４、１４との間で摺動可能とされ、突面部４４がベース部９の上面の左端部と摺動可能とされる。操作突部４１ａはシャーシ７の側面部１０から左方へ突出される（図９参照）。
【００９２】
イジェクトスライダー４０がシャーシ７に支持された状態においては、突面部４４がベース部９上に位置され、摺動係合部４８がイジェクトレバー３０の摺接係合部３２の軸部３２ａと接触可能とされる。従って、イジェクトスライダー４０がシャーシ７に対して前後方向へ移動されるときに摺動係合部４８が軸部３２ａと接した状態においては、該軸部３２ａが摺動係合部４８の保持縁４８ａ又は作用縁４８ｂに対して回転される。
【００９３】
イジェクトスライダー４０がシャーシ７に支持された状態において、シャーシ７のバネ掛け片９ｅとイジェクトスライダー４０のバネ掛け部４４ａとの間にコイルバネ４９が支持される（図８及び図１３参照）。コイルバネ４９の伸縮方向は前後方向であり、この伸縮方向における略後方にイジェクトスライダー４０の摺動係合部４８とイジェクトレバー３０の摺接係合部３２との係合位置が存在する。コイルバネ４９は引張コイルバネであり、イジェクトスライダー４０はシャーシ７に対して前方へ付勢される。
【００９４】
イジェクスライダー４０がシャーシ７に支持された状態においては、摺動係合部４８がベース部９の配置孔９ｄに配置される。従って、ベース部９と摺動係合部４８が干渉せず、その分、記録媒体ドライブ装置６の薄型化を図ることができる。
【００９５】
シャーシ７の側面部１０、１１の前端部には開閉カバー５０が回動自在に支持されている（図８参照）。開閉カバー５０は左右に長く形成され、左右両端の上端部に回動支点軸５０ａ、５０ａが設けられている（図１４参照）。開閉カバー５０は回動支点軸５０ａ、５０ａが側面部１０、１１の前端部に支持されることにより、シャーシ７に対して回動可能とされる。
【００９６】
開閉カバー５０の右端部にはバネ掛け孔５０ｂが形成されている。バネ掛け孔５０ｂと側面部１１に設けられたバネ支持突部１２ａとの間にはバネ５１が支持されている。バネ５１によって開閉カバー５０は下端部が略前方へ移動する回動方向へ付勢されている。
【００９７】
シャーシ７の側面部１０、１１の前端部には開口部材５２が取り付けられている（図８参照）。開口部材５２は左右に長く形成され、開閉カバー５０の全体を覆った状態で、例えば、ネジ止めにより側面部１０、１１に取り付けられている。
【００９８】
開口部材５２の前面部５３には記録媒体カートリッジ１００が挿入される横長の挿入用開口５が形成されている（図１４及び図１５参照）。挿入用開口５はそれぞれ上下に位置する第１の開口縁５４、第２の開口縁５５とそれぞれ左右に位置する第３の開口縁５６、第４の開口縁５７とを有している。
【００９９】
第１の開口縁５４、第２の開口縁５５、第３の開口縁５６及び第４の開口縁５７には、それぞれ案内部５４ａ、５５ａ、５６ａ、５７ａが形成されている。案内部５４ａ、５５ａ、５６ａ、５７ａは後方へ行くに従って開口の大きさが小さくなるように緩やかに傾斜されている（図１４乃至図１７参照）。
【０１００】
このように開口部材５２の挿入用開口５には案内部５４ａ、５５ａ、５６ａ、５７ａが形成されているため、記録媒体カートリッジ１００の挿入時に案内部５４ａ、５５ａ、５６ａ、５７ａに記録媒体カートリッジ１００が案内され、記録媒体カートリッジ１００の挿入用開口５に対する良好な挿入性を確保することができる。
【０１０１】
第２の開口縁５５は左右に位置し左右に延びるストレート部５５ｂ、５５ｂと該ストレート部５５ｂ、５５ｂ間に位置する曲線部５５ｃとから成る（図１５参照）。曲線部５５ｃは挿入用開口５の左右方向における中央を基準として左右対称な形状に形成され、この中央からストレート部５５ｂ、５５ｂに向かうに従って上方へ変位するように緩やかな曲線状に形成されている。従って、挿入用開口５の上下の幅は、図１５に示すように、左右方向における中央の幅Ｍが最大であり、中央から左右に行くに従って漸次幅が小さくなり、ストレート部５５ｂ、５５ｂにおける幅Ｈ、Ｈが最小とされている。
【０１０２】
上記のように開口部材５２は挿入用開口５の左右方向における中央の幅Ｍが最大となるように形成されているため、記録媒体カートリッジ１００の挿入時に指を挿入用開口５の奥側まで挿入し易くなり、記録媒体カートリッジ１００の良好な挿入性を確保することができる。
【０１０３】
また、挿入用開口５の第２の開口縁５５にストレート部５５ｂ、５５ｂ間に位置する曲線部５５ｃを形成しているため、記録媒体カートリッジ１００が挿入用開口５から挿入されるときに、記録媒体カートリッジ１００が第２の開口縁５５に引っ掛かってしまうようなことがなく、記録媒体カートリッジ１００の良好な挿入性を確保することができる。
【０１０４】
尚、上記には、第２の開口縁５５のみに曲線部５５ｃを形成し幅Ｍが最大となるようにした例を示したが、例えば、第２の開口縁５５に代えて第１の開口縁５４のみに曲線部を形成し幅Ｍが最大となるようにしてもよく、また、第１の開口縁５４と第２の開口縁５５の双方に曲線部を形成して幅Ｍが最大となるようにしてもよい。
【０１０５】
第２の開口縁５５は左右方向における中央部が後方へ窪んだ緩やかな曲線状の凹部５５ｄとして形成されている（図１７参照）。
【０１０６】
従って、記録媒体カートリッジ１００の挿入時に指を挿入用開口５の奥側まで挿入し易く、記録媒体カートリッジ１００の良好な挿入性を確保することができる。
【０１０７】
尚、凹部は第２の開口縁５５に代えて第１の開口縁５４に形成してもよく、また、第１の開口縁５４と第２の開口縁５５の双方に形成してもよい。
【０１０８】
ホルダー８は、例えば、板状の金属材料によって各部が一体に形成されて成り、図８及び図１８に示すように、略正方形状に形成された連結面部５８と、該連結面部５８の左右両側縁からそれぞれ垂設された側面部５９、６０と、該側面部５９、６０の下縁から互いに近付く方向へ突出された突出面部６１、６２とから成る。左側に位置する突出面部６１は側面部５９の前端から後端寄りの位置に設けられ、右側に位置する突出面部６２は側面部６０の前端側の位置のみに設けられている。突出面部６１、６２は連結面部５８に対向して位置されている。
【０１０９】
ホルダー８の前端には連結面部５８、側面部５９、６０及び突出面部６１、６２によって囲まれた空間が形成され、この空間が記録媒体カートリッジ１００が挿入される挿入口６３とされている。
【０１１０】
ホルダー８の連結面部５８の中央には開口５８ａが形成されている。開口５８ａはホルダー８の軽量化等を図るために形成されている。連結面部５８には、その一部が切り起こされることにより、複数の押さえバネ部５８ｂ、５８ｂ、・・・が設けられている。押さえバネ部５８ｂ、５８ｂ、・・・は、記録媒体カートリッジ１００がホルダー８に保持された状態において記録媒体カートリッジ１００のケース体１０１をシャーシ９に設けられた受け台部１４ｂ、１４ｂ及び受け突部１６、１６に押し付ける役割を果たす。
【０１１１】
ホルダー８の左側の側面部５９には前後に離隔して左方へ突出された被支持ピン６４、６４が設けられている。被支持ピン６４、６４は側面部５９に対して回転可能に構成されている。
【０１１２】
ホルダー８の右側の側面部６０には、その前端寄りの位置に突片挿通孔６０ａが形成されている。側面部６０には、突片挿通孔６０ａの後側の位置に内方へ折り曲げられて形成されたシャッター開放片６０ｂが設けられ、該シャッター開放片６０ｂの後側の位置に内方へ折り曲げられて形成された姿勢保持片６０ｃが設けられている。シャッター開放片６０ｂ及び姿勢保持片６０ｃは、何れも前後に長い舌片状に形成されている。
【０１１３】
側面部６０の後端寄りの位置には右方へ突出された被支持ピン６４が設けられている。被支持ピン６４は側面部６０に対して回転可能に構成されている。
【０１１４】
側面部６０の前後方向における略中央部には右方へ突出された被支持ピン６５が設けられている。被支持ピン６５は、図１８及び図１９に示すように、支持軸６６と回転筒６７とワッシャ６８とから成り、支持軸６６に回転自在に支持された回転筒６７がワッシャ６８によって支持軸６６からの脱落が防止された状態で構成されている。
【０１１５】
支持軸６６は大径の規制部６６ａと該規制部６６ａを挟んでそれぞれ反対側に設けられた小径の挿通部６６ｂ、支持部６６ｃとから成る。挿通部６６ｂはその左端部が側面部６０に取り付けられる。従って、支持軸６６が側面部６０に取り付けられた状態においては、側面部６０と支持軸６６の規制部６６ａとの間に一定の間隔Ｄが形成される（図１９参照）。
【０１１６】
側面部６０の外面にはシャッター開閉バネ６９が取り付けられる（図８及び図１８参照）。シャッター開閉バネ６９は前後に長いバネ部７０と該バネ部７０の前端部の下縁から左方へ突出されたロック解除用突片７１とを有している。
【０１１７】
バネ部７０の前後方向における略中央部には挿通孔７０ａが形成され、該挿通孔７０ａは支持軸６６の挿通部６６ｂの外径より大きくされている（図１９参照）。
【０１１８】
ロック解除用突片７１は、図１８に示すように、左方に凸の三角形状に形成され、後方へ行くに従って左方へ変位する第１の傾斜縁７１ａと前方へ行くに従って左方へ変位する第２の傾斜縁７１ｂとが前後で連続して形成されている。
【０１１９】
シャッター開閉バネ６９は、挿通孔７０ａに支持軸６６の挿通部６６ｂが挿通された状態で側面部６０の外面に取り付けられる。シャッター開閉バネ６９は挿通孔７０ａの後側の部分が、例えば、加締めにより側面部６０に取り付けられる。従って、シャッター開閉バネ６９は側面部６０に取り付けられた部分より前側の部分が弾性変形可能とされる。
【０１２０】
シャッター開閉バネ６９が側面部６０に取り付けられた状態においては、ロック解除用突片７１が側面部６０の突片挿通孔６０ａから内方へ突出可能とされる。
【０１２１】
シャッター開閉バネ６９はホルダー８に対する記録媒体カートリッジ１００の挿入時及び排出時に弾性変形されるが、バネ部７０に挿通孔７０ａを形成し該挿通孔７０ａに被支持ピン６５が挿通されているため、バネ部７０と被支持ピン６５が干渉せず、その分、バネ部７０を前後方向に長くすることができる。従って、バネ部７０の変形量を大きくすることができシャッター開閉バネ６９の動作の信頼性の向上を図ることができる。
【０１２２】
また、シャッター開閉バネ６９は、被支持ピン６５の規制部６６ａにバネ部７０が接する状態（図２０参照）まで変形可能とされているため、シャッター開閉バネ６９の過度の変形を防止することができる。
【０１２３】
ホルダー８の突出面部６１、６２間には横長の飛出防止部材７２が取り付けられている（図８及び図１８参照）。飛出防止部材７２は記録媒体カートリッジ１００がホルダー８に挿入されるときに、記録媒体カートリッジ１００のホルダー８より下方への飛出を防止するための部材である。
【０１２４】
シャーシ７の側面部１０に形成された螺孔１０ａにはネジ部材が螺合可能とされ、このネジ部材はイジェクトスライダー４０のシャーシ７に対する後方への移動を規制するストッパー７３として機能する。尚、ストッパー７３はネジ部材に限定されることはなく、側面部１０に着脱可能であれば任意のものを用いることができる。
【０１２５】
ホルダー８は、イジェクトスライダー４０がシャーシ７に移動自在に支持された状態において、以下のようにして、シャーシ７及びイジェクトスライダー４０に組み付けられて支持される。
【０１２６】
ホルダー８が組み付けられるときには、ストッパー７３はシャーシ７の側面部１０から取り外されており、イジェクトスライダー４０はストッパー７３がない状態における後方側の移動端、即ち、ホルダー８を組み付けるための組付位置にある（図２１及び図２２参照）。
【０１２７】
イジェクトスライダー４０が、この後方側の移動端に位置された状態においては、側板部４１に形成されたカム溝４５、４５の上側水平部４５ａ、４５ａがそれぞれシャーシ７の側面部１０の支持溝２１及び組付用切欠１８に対応して位置されると共に側板部４２に形成されたカム溝４５、４５の上側水平部４５ａ、４５ａがそれぞれシャーシ７の側面部１１の支持溝２１及びピン配置用切欠２２に対応して位置される。
【０１２８】
この状態において、先ず、ホルダー８をシャーシ７に対して右下がりになるように傾斜させ、ホルダー８の右側の側面部６０に設けられた被支持ピン６４をイジェクトスライダー４０の側板部４２の上側水平部４５ａを介してシャーシ７の側面部１１の支持溝２１に内側から挿入すると共に側面部６０に設けられた被支持ピン６５をイジェクトスライダー４０の側板部４２の上側水平部４５ａに内側から挿入する。
【０１２９】
次に、右下がりに傾斜されていたホルダー８をシャーシ７に対して水平となるように側面部１０を下降させ、ホルダー８の左側の側面部５９に設けられた前側の被支持ピン６４をイジェクトスライダー４０の組付用溝４６から上側水平部４５ａに上側から挿入すると共に側面部５９に設けられた後側の被支持ピン６４をイジェクトスライダー４０の組付用溝４６から上側水平部４５ａ及びシャーシ７の支持溝２１に上側から挿入する。
【０１３０】
以上のような組付作業を行うことにより、ホルダー８がシャーシ７及びイジェクトスライダー４０に移動自在に支持される。
【０１３１】
上記のように、記録媒体ドライブ装置６にあっては、イジェクトスライダー４０がホルダー８ではなくシャーシ７に支持される。従って、ホルダー８をイジェクトスライダー４０及びシャーシ７に組み付ける前に、イジェクトスライダー４０及びイジェクトレバー３０がシャーシ７に支持され、両者の位置合わせが行われた状態で光ピックアップ２４のスキュー調整等の各種の調整を行うことができ、ホルダー８がこれらの調整の邪魔となるようなことがなく、調整の容易化及び迅速化を図ることができる。
【０１３２】
また、ホルダー８にこれらの調整を行うための治具挿入用の大きな穴を形成する必要がないため、ホルダー８の強度の低下やホルダー８の形状の複雑化によるコストの高騰を回避することができる。
【０１３３】
上記のようにホルダー８をイジェクトスライダー４０及びシャーシ７に組み付けた状態において、イジェクトスライダー４０をシャーシ７に対して前方へ移動し、ストッパー７３をシャーシ７の側面部１０に取り付ける。ストッパー７３を側面部１０に取り付けた状態においては、イジェクトスライダー４０は被ストッパー縁４１ｂがストッパー７３に接することにより後方への移動を規制される（図２３参照）。
【０１３４】
従って、イジェクトスライダー４０はシャーシ７に対する必要以上の移動が規制され、イジェクトスライダー４０のシャーシ７からの脱落を防止することができる。
【０１３５】
また、ストッパー７３をシャーシ７から取り外すことによりシャーシ７及びイジェクトスライダー４０に対するホルダー８の組付及び分解とシャーシ７に対するイジェクトスライダー４０の組付及び分解とを自由に行うことができ、組付作業及びメンテナンス作業の容易化を図ることができる。
【０１３６】
記録媒体ドライブ装置８にあっては、図２４に示すように、シャーシ７のバネ掛け片９ｅとイジェクトスライダー４０のバネ掛け部４４ａとの間に支持されたコイルバネ４９の伸縮方向における略後方に、イジェクトスライダー４０の摺動係合部４８とイジェクトレバー３０の摺接係合部３２との係合位置（図２４に示すＰ参照）が存在する。従って、イジェクトスライダー４０にコイルバネ４９による不必要な方向、即ち、前後方向以外の方向への付勢力が生じ難く、摺動係合部４８と摺接係合部３２の適正な接触状態が確保され、イジェクトレバー３０及びイジェクトスライダー４０の動作の信頼性を確保することができる。
【０１３７】
以下に、記録媒体カートリッジ１００のローディング動作及びイジェクト動作について説明する（図２５乃至図４０参照）。尚、図２５乃至図４０における各平面図は、簡単のため、光ピックアップ２４及び駆動モーター２９を省略して示している。
【０１３８】
記録媒体カートリッジ１００がホルダー８に挿入される前の初期状態においては、記録媒体カートリッジ１００のロックレバー１１５の係合突部１１５ｂがケース体１０１の機構配置部１０６に設けられたロック用突部１０８に係合され（図５参照）、シャッター１１０が光透過孔１０１ｈを閉塞する閉塞位置にロックされている。
【０１３９】
記録媒体カートリッジ１００がホルダー８に挿入される前の初期状態においては、イジェクトレバー３０は上方から見て時計回り方向における回動端に位置されている（図２５参照）。この時計回り方向はイジェクトレバー３０の第２の回動方向とされ、反時計回り方向がイジェクトレバー３０の第１の回動方向とされる。このときイジェクトレバー３０の作用面部３４は右斜め前方へ摺動面部３３に対して突出するように位置されている。
【０１４０】
初期状態においては、イジェクトスライダー４０は後方、即ち、第２のスライド方向に移動されており、被支持軸４７、４７、・・・がそれぞれシャーシ７の側面部１０、１１の摺動支持溝１７、１７、・・・における後端部に係合されている（図２６参照）。イジェクトスライダー４０の第１のスライド方向は前方である。このときイジェクトスライダー４０は摺動縁４８ｃがイジェクトレバー３０の接触縁３３ｃと接しており、イジェクトレバー３０によって前方への移動を規制されている。
【０１４１】
ホルダー８は、側面部５９の前側の被支持ピン６４及び側面部６０の前側の被支持ピン６５がそれぞれイジェクトスライダー４０のカム溝４５、４５の上側水平部４５ａ、４５ａに係合され、側面部５９、６０の後側の被支持ピン６４、６４がそれぞれイジェクトスライダー４０のカム溝４５、４５の上側水平部４５ａ、４５ａ及びシャーシ７の支持溝２１、２１の傾斜部２１ａ、２１ａの上端部に係合されている。従って、ホルダー８は上方側の移動端、即ち、記録媒体カートリッジ１００の挿入及び取出が可能な第１の位置にある。ホルダー８の下方側の移動端は第２の位置とされる。
【０１４２】
ホルダー８が第１の位置にある状態においては、イジェクトスライダー４０の橋渡部４３の真上にホルダー８に取り付けられた飛出防止部材７２が位置されている。
【０１４３】
記録媒体カートリッジ１００が開口部材５２の挿入用開口５から挿入されると、記録媒体カートリッジ１００によって開閉カバー５０が押圧されバネ５１の付勢力に抗して回動され記録媒体カートリッジ１００がホルダー８内に挿入されていく。このとき、上記したように、開口部材５２の挿入用開口５の左右方向における中央の幅Ｍが最大とされると共に第２の開口縁５５のストレート部５５ｂ、５５ｂ間に曲線部５５ｃが形成されているため、記録媒体カートリッジ１００がホルダー８内に円滑に挿入されていく。
【０１４４】
記録媒体カートリッジ１００がホルダー８内に挿入されていくと、ホルダー８の側面部６０に設けられたシャッター開放片６０ｂが記録媒体カートリッジ１００の挿入溝１０５に挿入されていく。このときホルダー８の側面部６０に取り付けられたシャッター開閉バネ６９のロック解除用突片７１が、シャッター１１０の側部１１２の外面に乗り上げて該側部１１２上を摺動される（図２７参照）。従って、シャッター開閉バネ６９はバネ部７０が弾性変形される。
【０１４５】
記録媒体カートリッジ１００がさらにホルダー８内に挿入されていくと、シャッター開放片６０ｂがシャッター１１０の側部１１２の後縁に接する（図２８参照）。同時に、シャッター１１０の側部１１２上に乗り上げられていたロック解除用突片７１が、バネ部７０が弾性復帰することにより作用孔１１２ａに挿入される。
【０１４６】
ロック解除用突片７１が作用孔１１２ａに挿入されると、ロック解除用突片７１によってロックレバー１１５の被押圧部１１５ａが押圧され、図示しないバネ部材の付勢力に抗してロックレバー１１５が回動される。従って、係合突部１１５ｂのロック用突部１０８への係合が解除され、シャッター１１０の閉塞位置におけるロックが解除される。
【０１４７】
シャッター１１０の閉塞位置におけるロックが解除されたときには、シャッター開放片６０ｂが側部１１２の後縁に接しているため、これによりさらにホルダー８内に記録媒体カートリッジ１００が挿入されていくと、シャッター１１０がケース体１０１に対して相対的に前方へ移動され、シャッター１１０が開放されていく（図２９参照）。
【０１４８】
記録媒体カートリッジ１００のホルダー８への挿入が終了した状態においては、シャッター１１０が開放位置まで移動されており、上記したように、トグルバネ１０９によってシャッター１１０が上記挿入方向と逆方向へ付勢され、シャッター１１０が開放位置に保持される（図３０参照）。
【０１４９】
記録媒体カートリッジ１００がホルダー８に挿入されるときには、上記したシャッター１１０の開放動作と同時に、記録媒体カートリッジ１００によってイジェクトレバー３０の作用面部３４が押圧されイジェクトレバー３０が付勢バネ３９の付勢力に抗して第１の回動方向、即ち、上方から見て反時計回り方向へ回動される（図３１参照）。イジェクトレバー３０が第１の回動方向へ回動されると、イジェクトスライダー４０の摺動縁４８ｃとイジェクトレバー３０の接触縁３３ｃとが摺動される。
【０１５０】
イジェクトレバー３０が第１の回動方向へさらに回動されると、イジェクトスライダー４０の摺動縁４８ｃとイジェクトレバー３０の接触縁３３ｃとの接触が解除され、イジェクトスライダー４０がコイルバネ４９の付勢力によって前方へ移動される（図３２参照）。このとき記録媒体カートリッジ１００はホルダー８に所定の位置まで挿入され、開閉カバー５０がバネ５１の付勢力に抗して回動され、開閉カバー５０が記録媒体カートリッジ１００のケース体１０１の上面に傾斜した状態で弾接される。
【０１５１】
イジェクトスライダー４０が前方へ移動されると、ホルダー８の被支持ピン６４、６４、６４、６５がイジェクトスライダー４０のカム溝４５、４５、・・・の上側水平部４５ａ、４５ａ、・・・から斜部４５ｂ、４５ｂ、・・・へ向けて移動される。このとき後側の被支持ピン６４、６４はシャーシ７の支持溝２１、２１の傾斜部２１ａ、２１ａ内を移動される（図３３参照）。従って、ホルダー８は記録媒体カートリッジ１００を保持した状態で後方へ移動しながら下降される。
【０１５２】
ホルダー８が移動されるときには、被支持ピン６４、６４、６４、６５がイジェクトスライダー４０の側板部４１、４２に対して回転される。従って、ホルダー８が円滑に移動される。
【０１５３】
イジェクトスライダー４０の摺動縁４８ｃとイジェクトレバー３０の接触縁３３ｃとの接触が解除されたときには、上記のように、イジェクトスライダー４０がコイルバネ４９の付勢力によって前方へ移動されるが、このイジェクトスライダー４０の前方への移動時には、先ず、摺動係合部４８の作用縁４８ｂがイジェクトレバー３０の摺接係合部３２の軸部３２ａと接し該軸部３２ａが回転される（図３４参照）。
【０１５４】
摺動縁４８ｃはイジェクトスライダー４０の移動方向に対して傾斜されているため、イジェクトスライダー４０の前方への移動に伴ってイジェクトレバー３０が付勢バネ３９の付勢力に抗して第１の回動方向へ回動される。従って、イジェクトレバー３０の作用面部３４が記録媒体カートリッジ１００から後方へ離隔され、ホルダー８の下降に伴う記録媒体カートリッジ１００の下降時に、記録媒体カートリッジ１００のケース体１０１と作用面部３４とが接することがなく、ケース体１０１の傷付きを防止することができると共にホルダー８及び記録媒体カートリッジ１００の下降動作の円滑化を図ることができる。
【０１５５】
記録媒体ドライブ装置８にあっては、上記のようにホルダー８を上下方向へ移動させるための支持溝２１、２１に傾斜部２１ａ、２１ａを形成している。従って、支持溝が上下に延びる部分のみを有する場合に比し、カム溝４５、４５の上側水平部４５ａ、４５ａを前方に位置させることができ、その分、シャーシ７に対するイジェクトスライダー４０の位置を前側に設定することができる。
【０１５６】
このようにイジェクトスライダー４０を前側に設定することによりイジェクトレバー３０の第２の回動方向における移動端が前方に位置され、イジェクトスライダー４０の摺動縁４８ｃとイジェクトレバー３０の接触縁３３ｃとの接触が解除される位置が前方側となる。従って、記録媒体カートリッジ１００をホルダー８に挿入したときに記録媒体カートリッジ１００を指で押し込む押し込み量が少なくて済み、記録媒体カートリッジ１００のホルダー８に対する良好な挿入性を確保することができる。
【０１５７】
次いで、イジェクトスライダー４０の前方への移動に伴って、摺動係合部４８の保持縁４８ａがイジェクトレバー３０の摺接係合部３２の軸部３２ａと接し該軸部３２ａが回転される（図３５参照）。従って、イジェクトレバー３０は第１の回動方向における回動端に保持される。
【０１５８】
上記のように、イジェクトスライダー４０の移動時には摺動係合部４８と摺接係合部３２の軸部３２ａとが接し該軸部３２ａが回転される。従って、摺動係合部４８と摺接係合部３２との間の摩擦力が小さく、摺動係合部４８及び摺接係合部３２の摩耗の防止を図ることができると共にイジェクトレバー３０及びイジェクトスライダー４０の円滑な動作を確保することができる。
【０１５９】
また、摺接係合部３２には軸部３２ａの径より大きなフランジ部３２ｂが設けられているため、摺動係合部４８の軸部３２ａからの脱落が防止され、イジェクトレバー３０及びイジェクトスライダー４０の動作の信頼性の向上を図ることができる。
【０１６０】
上記したイジェクトスライダー４０の前方への移動により、ホルダー８の被支持ピン６４、６４、６４、６５はイジェクトスライダー４０のカム溝４５、４５、・・・の斜部４５ｂ、４５ｂ、・・・から下側水平部４５ｃ、４５ｃ、・・・まで移動される（図３６参照）。このとき後側の被支持ピン６４、６４はシャーシ７の支持溝２１、２１の傾斜部２１ａ、２１ａから直線部２１ｂ、２１ｂ内を移動される。従って、記録媒体カートリッジ１００を保持したホルダー８は真下に移動される。
【０１６１】
イジェクトスライダー４０は前方側の移動端まで移動され、ホルダー８は下方側の移動端まで移動されて第２の位置に至る。このときイジェクトスライダー４０の橋渡部４３はシャーシ７の平板部１３上を前方へ移動され、ホルダー８に取り付けられた飛出防止部材７２は橋渡部４３の後方に位置される（図３７参照）。従って、橋渡部４３と飛出防止部材７２とが上下方向において重ならないため、その分、記録媒体ドライブ装置８の薄型化を図ることができる。
【０１６２】
イジェクトスライダー４０が前方側の移動端まで移動されたときには、橋渡部４３の薄肉部４３ａ、４３ａがシャーシ７の挿入用切欠１４ｃ、１４ｃに挿入される（図３８参照）。従って、橋渡部４３の一部が挿入用切欠１４ｃ、１４ｃに挿入される分、イジェクトスライダー４０の移動ストロークを大きくすることができる。
【０１６３】
また、橋渡部４３の一部が挿入用切欠１４ｃ、１４ｃに挿入される分、イジェクトスライダー４０の前後方向における幅を大きくすることができ、その分、イジェクトスライダー４０の剛性を高くすることができ、イジェクトスライダー４０の強度の向上の他、側板部４１、４２の同期移動における動作の信頼性の向上を図ることができる。
【０１６４】
さらに、橋渡部４３の薄肉部４３ａ、４３ａが挿入用切欠１４ｃ、１４ｃに挿入されるため、その分、シャーシ７のピン配置部１４、１４の高さを低くすることができ、記録媒体ドライブ装置８の薄型化を図ることができる。
【０１６５】
ホルダー８が下方側の移動端である第２の位置まで移動されたときには、ケース体１０１に形成された位置決め穴１０４、１０４にそれぞれシャーシ７に設けられた位置決めピン１５、１５が挿入される。このときケース体１０１のテーブル挿入孔１０１ｆにはディスクテーブル２３が挿入され、センターリング突部２３ｂに設けられたマグネットに記録媒体２００のコア２０１が吸着され記録媒体２００がディスクテーブル２３に装着される。
【０１６６】
記録媒体カートリッジ１００は、ホルダー８の連結面部５８に設けられた押さえバネ部５８ｂ、５８ｂ、・・・によってケース体１０１がシャーシ７側へ押し付けられ、ケース体１０１の下面がシャーシ７に設けられたピン配置部１４の受け台部１４ｂ、１４ｂ及び受け突部１６、１６に受けられる。
【０１６７】
ディスクテーブル２３に装着された記録媒体２００は、ディスクテーブル２３に伴って回転され、光ピックアップ２４の駆動により記録媒体２００に対する情報信号の記録又は再生が行われる。
【０１６８】
記録媒体２００に対する情報信号の記録又は再生が終了し、操作突部４１ａが後方へ操作されると記録媒体カートリッジ１００のイジェクト動作が開始される。
【０１６９】
操作突部４１ａが操作されるとイジェクトスライダー４０が後方へ移動され、ホルダー８は被支持ピン６４、６４、６４、６５がイジェクトスライダー４０のカム溝４５、４５、・・・の下側水平部４５ｃ、４５ｃ、・・・から斜部４５ｂ、４５ｂ、・・・を経て上側水平部４５ａ、４５ａ、・・・まで移動される。このとき後側の被支持ピン６４、６４はシャーシ７の支持溝２１、２１の直線部２１ｂ、２１ｂから傾斜部２１ａ、２１ａの上端部まで移動される。従って、ホルダー８は記録媒体カートリッジ１００を保持した状態で上昇される。
【０１７０】
イジェクトスライダー４０は、順に摺動係合部４８の保持縁４８ａ、作用縁４８ｂと摺接係合部３２の軸部３２ａとが接し、該軸部３２ａが回転される。軸部３２ａが回転されることにより、イジェクトレバー３０及びイジェクトスライダー４０の円滑な動作が確保される。
【０１７１】
記録媒体カートリッジ１００はホルダー８の上方への移動に伴って上昇され、記録媒体２００のディスクテーブル２３に対する装着が解除される。
【０１７２】
イジェクトスライダー４０が後方側の所定の位置まで移動されると、イジェクトスライダー４０の摺動係合部４８の保持縁４８ａ及び作用縁４８ｂとイジェクトレバー３０の摺接係合部３２の軸部３２ａとの接触が解除され、付勢バネ３９の付勢力によって第２の回動方向へ回動される（図３９参照）。従って、記録媒体カートリッジ１００がイジェクトレバー３０の作用面部３４によって前方へ押圧され、記録媒体カートリッジ１００の一部が挿入用開口５から前方へ突出される。
【０１７３】
上記のようにイジェクト時には、ホルダー８の後側の被支持ピン６４、６４がシャーシ７の支持溝２１、２１の傾斜部２１ａ、２１ａ内を移動されるため、ホルダー８が前方へ移動しながら上昇される。従って、ホルダー８が前方へ移動される分、記録媒体カートリッジ１００のホルダー８からの突出量が大きくなり、記録媒体カートリッジ１００の突出した部分を把持し易く、ホルダー８からの記録媒体カートリッジ１００の良好な取出性を確保することができる。
【０１７４】
イジェクトスライダー４０が前方側の移動端まで移動されると、イジェクトスライダー４０の摺動縁４８ｃがイジェクトレバー３０の接触縁３３ｃに接し、イジェクトスライダー４０が前方側の移動端に保持されると共にイジェクトレバー３０が第２の回動方向における回動端に保持される。
【０１７５】
上記のようにイジェクトスライダー４０が後方へ移動されたときに、例えば、イジェクトレバー３０とシャーシ７との間の摩擦力が大きかった場合にはイジェクトレバー３０が第２の方向へ回動されないという不具合を生じるおそれがあるが、この場合でも、イジェクトスライダー４０の援助用押圧部４４ｂによってイジェクトレバー３０の支持突部３５が後方へ押圧され、イジェクトレバー３０が第２の回動方向へ強制的に回動される（図４０参照）。従って、記録媒体カートリッジ１００はイジェクトレバー３０の回動により作用面部３４に押圧されて挿入用開口５から前方へ突出される。
【０１７６】
このように記録媒体ドライブ装置８にあっては、イジェクトスライダー４０の後方への移動に伴ってイジェクトレバー３０が回動されない場合があったとしても、イジェクトスライダー４０の援助用押圧部４４ｂによってイジェクトレバー３０の支持突部３５が押圧されてイジェクトレバー３０が強制的に第２の回動方向へ回動される。従って、記録媒体カートリッジ１００をホルダー８から確実に排出することができる。
【０１７７】
また、イジェクトレバー３０の回動動作の信頼性を向上させるために付勢バネ３９の力量を大きくする必要がないため、記録媒体カートリッジ１００のホルダー８への挿入時において付勢バネの大きな付勢力に対して大きな力で記録媒体カートリッジ１００を押圧する必要がなく、記録媒体カートリッジ１００のホルダー８に対する良好な挿入性を確保することができる。
【０１７８】
上記したイジェクト動作時には、記録媒体カートリッジ１００のシャッター１１０の作用孔１１２ａにシャッター開閉バネ６９のロック解除用突片７１が挿入されているため、記録媒体カートリッジ１００がホルダー８から手前側へ突出されることによりケース体１０１がシャッター１１０に対して前方へ移動され、シャッター１１０がケース体１０１に対して相対的に後方へ移動されて閉塞される。
【０１７９】
ユーザーはホルダー８から突出された部分を把持して引き抜くことにより、記録媒体カートリッジ１００をホルダー８から取り出すことができる。このとき、シャッター開閉バネ６９のロック解除用突片７１が作用孔１１２ａから引き出されることにより、ロックレバー１１５が付勢バネの付勢力によって回動され、係合突部１１５ｂがロック用突部１０８に係合されてシャッター１１０が再び閉塞位置にロックされる。
【０１８０】
ホルダー８から記録媒体カートリッジ１００が取り出されると、バネ５１の付勢力によって開閉カバー５０が回動され、開口部材５２の挿入用開口５が開閉カバー５０によって閉塞される。従って、開閉カバー５０によって挿入用開口５からの電子機器１の内部への塵埃の侵入が防止される。
【０１８１】
尚、上記には、記録媒体カートリッジとして、シャッター１１０を有する記録媒体カートリッジ１００を例として説明したが、電子機器１に用いることができる記録媒体カートリッジはシャッター１１０を有するものに限られることはなく、図４１に示すようなシャッター１１０を有しない記録媒体カートリッジ１００Ａを用いることも可能である。
【０１８２】
次に、電子機器の全体構成の概要を図４２に示すブロック図に基づいて説明する。
【０１８３】
電子機器１はバス１０００を介して入力部３００、制御部４００、記録再生部５００、出力部６００、表示部７００、操作部８００及び通信部９００の各部が接続されている。
【０１８４】
入力部３００には画像データーの入力や音声データーが入力される。画像データーの場合には入力部３００はカメラであり、音声データーの場合には入力部３００はマイクである。
【０１８５】
制御部４００は電子機器１の全体を制御する機能を有する。
【０１８６】
記録再生部５００は記録媒体カートリッジ１００、１００Ａの記録媒体２００に対する情報信号の記録や再生を行う機能を有し、この記録再生部５００には上記した光ピックアップ２４が含まれる。また、入力部３００に入力された各データーや通信部９００を介して入力されるデーターの記録媒体２００への記録も行う。
【０１８７】
出力部６００は記録媒体２００に記録され記録再生部５００によって再生されたデーターを出力する。出力されるデーターが音声データーの場合には、出力部６００はスピーカーである。
【０１８８】
表示部７００には記録媒体２００に記録され記録再生部５００によって再生されたデーターや入力部３００によって入力されたデーターが表示される。表示部７００には上記表示部３が含まれる。
【０１８９】
操作部８００は、入力部３００、記録再生部５００、出力部６００及び表示部７００の制御を実行するための指令信号を制御部４００に対して出力する。操作部８００には上記操作釦４、４、・・・が含まれる。
【０１９０】
通信部９００は外部のドライブ装置や外部の接続機器等との間で映像信号や音声信号を送受信する。
【０１９１】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０１９２】
【図１】図２乃至図４２と共に本発明を実施するための最良の形態を示すものであり、本図は記録媒体カートリッジの拡大平面図である。
【図２】記録媒体カートリッジの拡大斜視図である。
【図３】記録媒体カートリッジの背面側を示す拡大斜視図である。
【図４】記録媒体カートリッジの一部を分解して示す拡大斜視図である。
【図５】記録媒体カートリッジの一部を切り欠いて示す拡大斜視図である。
【図６】電子機器の斜視図である。
【図７】電子機器の背面側を示す斜視図である。
【図８】記録媒体ドライブ装置の分解斜視図である。
【図９】記録媒体ドライブ装置の拡大斜視図である。
【図１０】シャーシの拡大斜視図である。
【図１１】シャーシの一部とイジェクトレバーを示す拡大分解斜視図である。
【図１２】イジェクトスライダーの拡大斜視図である。
【図１３】図１２とは異なる方向から見た状態で示すイジェクトスライダーの拡大斜視図である。
【図１４】開閉カバーと開口部材を示す拡大斜視図である。
【図１５】開口部材の拡大正面図である。
【図１６】図１５のＸＶＩ−ＸＶＩ線に沿う断面図である。
【図１７】図１５のＸＶＩＩ−ＸＶＩＩ線に沿う断面図である。
【図１８】ホルダーとシャッター開閉バネを分解して示す拡大斜視図である。
【図１９】ホルダーに取り付けられた被支持軸を示す拡大断面図である。
【図２０】シャッター開閉バネの変形状態を一部を断面にして示す拡大平面図である。
【図２１】ストッパーが取り外された状態において、イジェクトスライダーが後方側の移動端に位置された状態を示す拡大左側面図である。
【図２２】ストッパーが取り外された状態において、イジェクトスライダーが後方側の移動端に位置された状態を示す拡大右側面図である。
【図２３】ストッパーによってイジェクトスライダーの後方側への移動が規制された状態を示す拡大側面図である。
【図２４】ホルダーを取り外した状態で一部を示す記録媒体ドライブ装置の拡大平面図である。
【図２５】図２６乃至図４０と共に記録媒体ドライブ装置の動作を示すものであり、本図は記録媒体カートリッジがホルダーに挿入される前の初期状態をホルダーを取り外して示す拡大平面図である。
【図２６】記録媒体カートリッジがホルダーに挿入される前の初期状態を示す拡大側面図である。
【図２７】記録媒体カートリッジがホルダーに挿入されシャッター開閉バネのロック解除用突片がシャッターに乗り上げた状態を一部を断面にして示す拡大平面図である。
【図２８】シャッターの閉塞位置におけるロックが解除された状態を一部を断面にして示す拡大平面図である。
【図２９】シャッターが開放されている途中の状態を一部を断面にして示す拡大平面図である。
【図３０】シャッターが開放位置まで移動された状態を一部を断面にして示す拡大平面図である。
【図３１】記録媒体カートリッジがホルダーに挿入されてイジェクトレバーが回動されている状態をホルダーを取り外して示す拡大平面図である。
【図３２】イジェクトスライダーが前方へ移動されている状態をホルダーを取り外して示す拡大平面図である。
【図３３】ホルダーが下降されている途中の状態を示す拡大側面図である。
【図３４】イジェクトスライダーの摺動係合部の作用縁とイジェクトレバーの摺接係合部の軸部とが接している状態を示す拡大平面図である。
【図３５】イジェクトスライダーの摺動係合部の保持縁とイジェクトレバーの摺接係合部の軸部とが接している状態を示す拡大平面図である。
【図３６】ホルダーが下降された状態を示す拡大側面図である。
【図３７】イジェクトスライダーの橋渡部とホルダーに取り付けられた飛出防止部材との位置関係を示す概念図である。
【図３８】イジェクトスライダーが前方側の移動端まで移動され、橋渡部の一部がシャーシの挿入用切欠に挿入された状態を示す拡大平面図である。
【図３９】イジェクトレバーが回動されて記録媒体カートリッジがホルダーから排出されている状態をホルダーを取り外して示す拡大平面図である。
【図４０】イジェクトスライダーの援助用押圧部に押圧されてイジェクトレバーが強制的に回動されている状態を示す拡大平面図である。
【図４１】シャッターを有しない記録媒体カートリッジの拡大斜視図である。
【図４２】電子機器の全体構成の概要を示すブロック図である。
【符号の説明】
【０１９３】
１…電子機器、６…記録媒体ドライブ装置、７…シャーシ、８…ホルダー、６５…被支持ピン、６６ａ…規制部、６６ｂ…挿通部、６９…シャッター開閉バネ、１００…記録媒体カートリッジ、１０１…ケース体、１１０…シャッター、２００…記録媒体、１００Ａ…記録媒体カートリッジ、４００…制御部、５００…記録再生部
【図１】
2006244609.tif 000003
【図２】
2006244609.tif 000004
【図３】
2006244609.tif 000005
【図４】
2006244609.tif 000006
【図５】
2006244609.tif 000007
【図６】
2006244609.tif 000008
【図７】
2006244609.tif 000009
【図８】
2006244609.tif 000010
【図９】
2006244609.tif 000011
【図１０】
2006244609.tif 000012
【図１１】
2006244609.tif 000013
【図１２】
2006244609.tif 000014
【図１３】
2006244609.tif 000015
【図１４】
2006244609.tif 000016
【図１５】
2006244609.tif 000017
【図１６】
2006244609.tif 000018
【図１７】
2006244609.tif 000019
【図１８】
2006244609.tif 000020
【図１９】
2006244609.tif 000021
【図２０】
2006244609.tif 000022
【図２１】
2006244609.tif 000023
【図２２】
2006244609.tif 000024
【図２３】
2006244609.tif 000025
【図２４】
2006244609.tif 000026
【図２５】
2006244609.tif 000027
【図２６】
2006244609.tif 000028
【図２７】
2006244609.tif 000029
【図２８】
2006244609.tif 000030
【図２９】
2006244609.tif 000031
【図３０】
2006244609.tif 000032
【図３１】
2006244609.tif 000033
【図３２】
2006244609.tif 000034
【図３３】
2006244609.tif 000035
【図３４】
2006244609.tif 000036
【図３５】
2006244609.tif 000037
【図３６】
2006244609.tif 000038
【図３７】
2006244609.tif 000039
【図３８】
2006244609.tif 000040
【図３９】
2006244609.tif 000041
【図４０】
2006244609.tif 000042
【図４１】
2006244609.tif 000043
【図４２】
2006244609.tif 000044